(57)【要約】【課題】発光期間を短縮することのできる電子装置、電子装置の駆動方法及び電子機器を提供する。【解決手段】１回目の走査線の選択動作時、奇数番目の走査線上の赤及び緑用画素回路２０Ｒ，２０Ｇにデータ信号を供給し、青用画素回路２０Ｂにリセット電圧を供給する。又、データ線駆動回路１２は、偶数番目の走査線上の赤及び緑用画素回路２０Ｒ，２０Ｇにリセット電圧を供給し、青用画素回路２０Ｂにデータ信号を供給する。２回目の走査線の選択動作時、データ線駆動回路１２は、奇数番目の走査線上の赤及び緑用画素回路２０Ｒ，２０Ｇにリセット電圧を供給し、青用画素回路２０Ｂにデータ信号を供給する。又、データ線駆動回路１２は、偶数番目の走査線上の赤及び緑用画素回路２０Ｒ，２０Ｇにデータ信号を供給し、青用画素回路２０Ｂに対してリセット電圧を供給する。【選択図】        図２
2004151558.tif 000002
【特許請求の範囲】
【請求項１】
複数の走査線と、複数のデータ線と、複数の単位回路と、を備えた電子装置において、
前記複数の走査線のうち一つが選択された時、前記複数の単位回路のうち、該選択された走査線に接続された一連の単位回路の中から、第１のグループの単位回路には前記複数のデータ線のうち前記第１のグループの単位回路に接続されたデータ線を介してデータ信号を供給し、第２のグループの単位回路には前記データ信号を供給しないデータ線駆動回路を含むこと、
を特徴とする電子装置。
【請求項２】
請求項１に記載の電子装置において、
前記データ線駆動回路が、前記第１のグループの単位回路に前記データ信号を供給している期間に、前記第２のグループの単位回路はリセットされること、
を特徴とする電子装置。
【請求項３】
請求項２に記載の電子装置において、
前記第２のグループの単位回路のリセットは、リセット信号を供給することにより行なわれること、
を特徴とする電子装置。
【請求項４】
請求項３に記載の電子装置において、
前記リセット信号は、複数のデータ線を介して前記第２のグループの単位回路に供給されること、
を特徴とする電子装置。
【請求項５】
請求項３又は４に記載の電子装置において、
前記リセット信号は、電圧信号として供給されること、
を特徴とする電子装置。
【請求項６】
請求項１乃至５のいずれか一つに記載の電子装置において、前記第１のグループの単位回路が、前記複数の走査線を介して供給される走査信号によって次に選択される時は、前記第１のグループの単位回路にはデータ信号が供給されないこと、
を特徴とする電子装置。
【請求項７】
複数の走査線と、複数のデータ線と、複数の単位回路と、を備えた電子装置において、
前記複数の走査線の中から一つが選択された時、その選択された走査線に接続された一連の単位回路の中から、データ信号を供給する第１のグループの単位回路とリセット信号を供給する第２のグループの単位回路を選択し、前記第１のグループの単位回路にはデータ信号を供給し、前記第２のグループの単位回路にはリセット信号を供給するための選択信号を生成する制御回路と、
前記制御回路からの選択信号に基づいて前記複数のデータ線にデータ信号又はリセット信号のいずれか一方を出力させるデータ線駆動回路と
を備えたことを特徴とする電子装置。
【請求項８】
請求項１乃至７のいずれか一つに記載の電子装置において、次の新たな走査線が一つ選択された時、その新たに選択された走査線に接続された一連の単位回路のうち、一つ前の走査線の選択時にデータ信号が供給されていたデータ線と接続されている単位回路はリセットされること、
を特徴とする電子装置。
【請求項９】
請求項７に記載の電子装置において、
前記リセット信号は、電圧信号として供給されること、
を特徴とする電子装置。
【請求項１０】
請求項７乃至９のいずれか一つに記載の電子装置において、
前記第１のグループの単位回路が、前記複数の走査線を介して供給される走査信号によって次に選択される時は、前記第１のグループの単位回路にはデータ信号が供給されないこと、
を特徴とする電子装置。
【請求項１１】
請求項１乃至１０のいずれか一つに記載の電子装置において、
前記走査線の選択は、隣合う位置にある走査線を一方向から順番に選択することを特徴とする電子装置。
【請求項１２】
請求項１乃至１０のいずれか一つに記載の電子装置において、
前記走査線を選択は、少なくとも一つ前に選択した走査線と隣合う位置にある走査線以外の走査線を選択することを特徴とする電子装置。
【請求項１３】
請求項１乃至１２のいずれか一つに記載の電子装置において、
前記データ信号は多値であることを特徴とする電子装置。
【請求項１４】
請求項１乃至１３のいずれか一つに記載の電子装置において、
前記単位回路は、電子素子を含み、対応する走査線が選択されている時、対応するデータ線からのデータ信号が入力され、そのデータ信号に基づいて駆動される電子素子を含むことを特徴とする電子装置。
【請求項１５】
請求項１４に記載の電子装置において、
前記単位回路は、
走査線が選択されたとき導通する第１のトランジスタと、
前記第１のトランジスタを介して供給されるデータ信号を電荷量として保持する容量素子と、
前記容量素子に保持された電荷量に基づいて導通状態が制御される第２のトランジスタとからなり、前記電子素子は、
前記導通状態に相対した電流量が供給される電流駆動素子と
からなることを特徴とする電子装置。
【請求項１６】
請求項１乃至１３にいずれか一つに記載の電子装置において、
前記データ信号は電圧又は電流として供給されることを特徴とする電子装置。
【請求項１７】
請求項１５に記載の電子装置において、
前記電流駆動素子はＥＬ素子であることを特徴とする電子装置。
【請求項１８】
請求項１７に記載の電子装置において、
前記ＥＬ素子は、発光層が有機材料で構成されていることを特徴とする電子装置。
【請求項１９】
複数の走査線と、複数のデータ線と、複数の単位回路と、を備えた電子装置の駆動方法において、
前記複数の走査線のうち一つを選択する時、前記複数の単位回路のうち、前記選択される走査線に接続された一連の単位回路の中から、第１のグループの単位回路と第２のグループの単位回路とに区分し、前記第１のグループの単位回路には前記データ線を介してデータ信号を供給し、前記第２のグループの単位回路には前記データ信号を供給しないようにしたことを特徴とする電子装置の駆動方法。
【請求項２０】
請求項１９に記載の電子装置の駆動方法において、
前記第１のグループの単位回路に前記データ信号を供給している期間に、前記第２のグループの単位回路をリセットさせるようにしたことを特徴とする電子装置の駆動方法。
【請求項２１】
請求項２０に記載の電子装置の駆動方法において、
前記第２のグループの単位回路のリセットは、リセット信号を供給することにより行なわれることを特徴とする電子装置の駆動方法。
【請求項２２】
請求項２１に記載の電子装置の駆動方法において、
前記リセット信号は、複数のデータ線を介して前記第２のグループの単位回路に供給させることを特徴とする電子装置の駆動方法。
【請求項２３】
請求項２１又は２２に記載の電子装置の駆動方法において、
前記リセット信号は、電圧信号として供給されることを特徴とする電子装置の駆動方法。
【請求項２４】
請求項１９乃至２３のいずれか一つに記載の電子装置の駆動方法において、
前記第１のグループの単位回路が、前記複数の走査線を介して供給される走査信号によって次に選択される時は、前記第１のグループの単位回路にはデータ信号が供給されないことを特徴とする電子装置の駆動方法。
【請求項２５】
複数の走査線と、複数のデータ線と、複数の単位回路と、を備えた電子装置の駆動方法において、
前記複数の走査線のうち一つを選択する時、前記複数の単位回路のうち、前記選択される走査線に接続された一連の単位回路の中から、第１のグループの単位回路と第２のグループの単位回路とに区分し、前記第１のグループの単位回路には前記データ線を介してデータ線を供給し、前記第２のグループの単位回路にはリセット信号を供給することを特徴とする電子装置の駆動方法。
【請求項２６】
請求項１９乃至２５のいずれか一つに記載の電子装置の駆動方法において、
次の新たな走査線が一つ選択された時、その新たに選択された走査線に接続された一連の単位回路のうち、一つ前の走査線の選択時にデータ信号が供給されていたデータ線と接続されていた単位回路はリセットさせるようにしたことを特徴とする電子装置の駆動方法。
【請求項２７】
請求項１９乃至２６のいずれか一つに記載の電子装置の駆動方法において、
前記走査線の選択は、隣合う位置にある走査線を一方向から順番に選択することを特徴とする電子装置の駆動方法。
【請求項２８】
請求項１９乃至２６のいずれか一つに記載の電子装置の駆動方法において、
前記走査線を選択は、少なくとも一つ前に選択した走査線と隣合う位置にある走査線以外の走査線を選択することを特徴とする電子装置の駆動方法。
【請求項２９】
請求項１〜１８のいずれか一つに記載の電子装置を実装したことを特徴とする電子機器。
【発明の詳細な説明】
【０００１】
【発明の属する技術分野】
本発明は電子装置、電子装置の駆動方法及び電子機器に関するものである。
【０００２】
【従来の技術】
近年、電気光学装置として有機ＥＬ素子を用いた電気光学装置が、低消費比電力、高視野角、高コントラスト比で他の装置より優れているとして注目されている。この種の有機ＥＬ素子を用いた電気光学装置には、ゲート端子にデータ信号に応じた電圧を印加することによりトランジスタの導通状態を制御して、有機ＥＬ素子に供給する電流量を設定して輝度階調を制御する方式がある（例えば、特許文献１参照）。
【０００３】
【特許文献１】
国際公開第ＷＯ９８／３６４０号パンフレット
【０００４】
【発明が解決しようとする課題】
ところで、１フレームを全て発光期間として使用すると、特に動画表示の際の輪郭が不鮮明になるなどの動画劣化現象が視認されることがある。
【０００５】
本発明は、上記問題点を解消するためになされたものであって、その目的の一つは発光期間の短縮を図ることのできる電子装置、電子装置の駆動方法及び電子機器を提供することにある。
【０００６】
【課題を解決するための手段】
本発明における電子装置は、複数の走査線と、複数のデータ線と、複数の単位回路と、を備えた電子装置において、前記複数の走査線のうち一つが選択された時、前記複数の単位回路のうち、該選択された走査線に接続された一連の単位回路の中から、第１のグループの単位回路には前記複数のデータ線のうち前記第１のグループの単位回路に接続されたデータ線を介してデータ線を供給し、第２のグループの単位回路には前記データ信号を供給しないデータ線駆動回路を含む。
【０００７】
これによれば、複数の走査線の中から一つが選択された時、データ線駆動回路は、その選択された走査線に接続された一連の単位回路の中から、第１のグループの単位回路にはデータ信号が供給され、第２のグループの単位回路には前記データ信号を供給しない。その結果、データ信号の供給が集中することがなく分散されるため、データ線駆動回路の負荷を軽減することができる。
【０００８】
この電子装置において、前記データ線駆動回路が、前記第１のグループの単位回路に前記データ信号を供給している期間に、前記第２のグループの単位回路はリセットされる。
【０００９】
これによれば、第２のグループの単位回路はリセットされる。その結果、単位回路のリセット動作が集中することがなく分散される。
この電子装置において、前記第２のグループの単位回路のリセットは、リセット信号を供給することにより行なわれる。
【００１０】
これによれば、リセット信号を供給する手段の負荷を軽減させることができる。
この電子装置において、前記リセット信号は、複数のデータ線を介して前記第２のグループの単位回路に供給される。
【００１１】
これによれば、リセット信号は、データ信号を供給するデータ線を介して単位回路に供給されるので、回路規模を小さくすることができる。
この電子装置において、前記リセット信号は、電圧信号として供給される。
【００１２】
これによれば、電圧信号を生成する信号生成回路の負荷は軽減される。
この電子装置において、前記第１のグループの単位回路が、前記複数の走査線を介して供給される走査信号によって次に選択される時は、前記第１のグループの単位回路にはデータ信号が供給されない。
【００１３】
これによれば、前記第１のグループの単位回路にはデータ信号が供給されないとき、第２のグループの単位回路にデータ信号を供給させることができる。
本発明における電子装置は、複数の走査線と、複数のデータ線と、複数の単位回路と、を備えた電子装置において、前記複数の走査線の中から一つが選択された時、その選択された走査線に接続された一連の単位回路の中から、データ信号を供給する第１のグループの単位回路とリセット信号を供給する第２のグループの単位回路を選択し、前記第１のグループの単位回路にはデータ信号を供給し、前記第２のグループの単位回路にはリセット信号を供給するための選択信号を生成する制御回路と、前記制御回路からの選択信号に基づいて前記複数のデータ線にデータ信号又はリセット信号のいずれか一方を出力させるデータ線駆動回路とを備えた。
【００１４】
これによれば、複数の走査線の中から一つが選択された時、制御回路によってデータ線駆動回路は、その選択された走査線に接続された一連の単位回路の中から、第１のグループの単位回路にはデータ信号が供給され、第２のグループの単位回路にはリセット信号が供給される。その結果、リセット信号の供給が集中したり、データ信号の供給が集中したりすることがなく分散されるため、データ線駆動回路の負荷を軽減することができる。
【００１５】
この電子装置において、次の新たな走査線が一つ選択された時、その新たに選択された走査線に接続された一連の単位回路のうち、一つ前の走査線の選択時にデータ信号が供給されていたデータ線と接続されている単位回路はリセットされる。
【００１６】
これによれば、次の新たな走査線が一つ選択された時、その新たに選択された走査線に接続された一連の単位回路のうち、一つ前の選択時にデータ信号が供給されていたデータ線と接続されている単位回路にはリセット信号が供給され、一つ前の選択時にリセット信号が供給されていたデータ線と接続されている単位回路にはデータ信号が供給される。その結果、リセット信号の供給及びデータ信号の供給がさらに分散されることから、データ線駆動回路の負荷をさらに軽減することができる。
【００１７】
この電子装置において、前記リセット信号は電圧信号として供給される。
これによれば、電圧信号を生成する信号生成回路の負荷は軽減される。
この電子装置において、前記第１のグループの単位回路が、前記複数の走査線を介して供給される走査信号によって次に選択される時は、前記第１のグループの単位回路にはデータ信号が供給されない。
【００１８】
これによれば、前記第１のグループの単位回路にはデータ信号が供給されないとき、第２のグループの単位回路にデータ信号を供給させることができる。
こ電子装置において、走査線の選択は、隣合う位置にある走査線を一方向から順番に選択する。
【００１９】
これによれば、隣合う位置にある走査線を一方向から順番に選択して行く際、リセット信号の供給及びデータ信号の供給を分散でき、データ線駆動回路の負荷を軽減することができる。
【００２０】
この電子装置において、走査線を選択は、少なくとも一つ前に選択した走査線と隣合う位置にある走査線以外の走査線を選択する。
これによれば、一つ前に選択した走査線と隣合う位置にある走査線以外の走査線を選択して行く際、リセット信号の供給及びデータ信号の供給を分散でき、データ線駆動回路の負荷を軽減することができる。
【００２１】
この電子装置において、データ信号は多値である。
これによれば、各走査線を選択して多値のデータ信号の供給する場合、その多値のデータ信号の供給を分散させることができる。
【００２２】
この電子装置において、単位回路は、電子素子を含み、対応する走査線が選択されている時、対応するデータ線からのデータ信号が入力され、そのデータ信号に基づいて駆動される電子素子を含む。
【００２３】
これによれば、電気素子の動作及び停止を短時間で完了させることができる。この電子装置において、単位回路は、走査線が選択されたとき導通する第１のトランジスタと、前記第１のトランジスタを介して供給されるデータ信号を電荷量として保持する容量素子と、前記容量素子に保持された電荷量に基づいて導通状態が制御される第２のトランジスタとからなり、前記電子素子は、前記導通状態に相対した電流量が供給される電流駆動素子とからなる。
【００２４】
これによれば、電流駆動素子の動作及び停止を短時間で完了させることができる。
この電子装置において、データ信号は電圧又は電流として供給される。
【００２５】
これによれば、電圧値又は電流値によりなる多値のデータ信号によって第１のトランジスタの導通状態が決まる。例えば、データ信号が多値のデータ信号の場合、第１のトランジスタの導通状態は多値のデータ信号で決まる。
【００２６】
この電子装置において、電流駆動素子はＥＬ素子である。
これによれば、ＥＬ素子の発光動作及び発光停止動作を短時間で完了させることができる。
【００２７】
この電子装置において、ＥＬ素子は発光層が有機材料で構成されている。
これによれば、有機ＥＬ素子の発光動作及び発光停止動作を短時間で完了させることができる。
【００２８】
本発明における電子装置の駆動方法は、複数の走査線と、複数のデータ線と、複数の単位回路と、を備えた電子装置の駆動方法において、前記複数の走査線のうち一つを選択する時、前記複数の単位回路のうち、前記選択される走査線に接続された一連の単位回路の中から、第１のグループの単位回路と第２のグループの単位回路とに区分し、前記第１のグループの単位回路には前記データ線を介してデータ線を供給し、前記第２のグループの単位回路には前記データ信号を供給しないようにした。
【００２９】
これによれば、複数の走査線の中から一つが選択された時、その選択された走査線に接続された一連の単位回路の中から、第１のグループの単位回路にはデータ信号が供給され、第２のグループの単位回路には前記データ信号を供給しない。その結果、データ信号の供給が集中することがなく分散される。
【００３０】
この電子装置の駆動方法において、前記第１のグループの単位回路に前記データ信号を供給している期間に、前記第２のグループの単位回路をリセットさせるようにした。
【００３１】
これによれば、第２のグループの単位回路はリセットされる。その結果、単位回路のリセット動作が集中することがなく分散される。
この電子装置の駆動方法において、前記第２のグループの単位回路のリセットは、リセット信号を供給することにより行なわれる。
【００３２】
これによれば、リセット信号を供給する手段の負荷を軽減させることができる。
この電子装置の駆動方法において、前記リセット信号は、複数のデータ線を介して前記第２のグループの単位回路に供給させる。
【００３３】
これによれば、リセット信号は、データ信号を供給するデータ線を介して単位回路に供給されるので、回路規模を小さくすることができる。
この電子装置の駆動方法において、前記リセット信号は、電圧信号として供給される。
【００３４】
これによれば、電圧信号を生成する信号生成回路の負荷は軽減される。
この電子装置の駆動方法において、前記第１のグループの単位回路が、前記複数の走査線を介して供給される走査信号によって次に選択される時は、前記第１のグループの単位回路にはデータ信号が供給されない。
【００３５】
これによれば、前記第１のグループの単位回路にはデータ信号が供給されないとき、第２のグループの単位回路にデータ信号を供給させることができる。
本発明における電子装置の駆動方法は、複数の走査線と、複数のデータ線と、複数の単位回路と、を備えた電子装置の駆動方法において、前記複数の走査線のうち一つを選択する時、前記複数の単位回路のうち、前記選択される走査線に接続された一連の単位回路の中から、第１のグループの単位回路と第２のグループの単位回路とに区分し、前記第１のグループの単位回路には前記データ線を介してデータ線を供給し、前記第２のグループの単位回路にはリセット信号を供給する。
【００３６】
これによれば、複数の走査線の中から一つが選択された時、その選択された走査線に接続された各単位回路の中から、第１のグループの単位回路にはデータ信号が供給され、第２のグループの単位回路にはリセット信号が供給される。その結果、リセット信号の供給が集中したり、データ信号の供給が集中したりすることがなく分散されるため、リセット信号及びデータ信号を生成する回路の負荷を軽減することができる。
【００３７】
この電子装置の駆動方法において、次の新たな走査線が一つ選択された時、その新たに選択された走査線に接続された一連の単位回路のうち、一つ前の走査線の選択時にデータ信号が供給されていたデータ線と接続されていた単位回路はリセットさせる。
【００３８】
これによれば、次の新たな走査線が一つ選択された時、その新たに選択された走査線に接続された各単位回路のうち、一つ前の選択時にデータ信号が供給されていたデータ線と接続されている単位回路にはリセット信号が供給され、一つ前の選択時にリセット信号が供給されていたデータ線と接続されている単位回路にはデータ信号が供給される。その結果、リセット信号の供給及びデータ信号の供給がさらに分散される。
【００３９】
この電子装置の駆動方法において、前記走査線の選択は、隣合う位置にある走査線を一方向から順番に選択する。
これによれば、隣合う位置にある走査線を一方向から順番に選択して行く際、リセット信号の供給及びデータ信号の供給を分散できる。
【００４０】
この電子装置の駆動方法において、走査線を選択は、少なくとも一つ前に選択した走査線と隣合う位置にある走査線以外の走査線を選択する。
これによれば、一つ前に選択した走査線と隣合う位置にある走査線以外の走査線を選択して行く際、リセット信号の供給及びデータ信号の供給を分散できる。
【００４１】
本発明における電子機器は、上記の電子装置を実装した。
これによれば、各走査線を選択して行く際のデータ信号及びリセット信号の供給を分散でき、電力負荷を低減でき安定し高速動作か可能となる。
【００４２】
【発明の実施の形態】
（第１実施形態）
リセット期間にリセット電圧を保持キャパシタに印加する方式では、１フレームの画像を表示する場合、データ書き込み動作がある期間に集中する。図９は、画面表示のおける各走査線の発光期間とリセット期間を示すタイムチャートである。Ｙ１〜Ｙｎ（ｎは自然数であって、説明に便宜上図ではｎ＝６としている）は各走査線を示す。Ｔ１はセット期間（データ信号を各画素回路に入力する期間）を示し、Ｔ２はリセット期間を示す。従って、各走査線Ｙ１〜Ｙ６はセット期間Ｔ１とリセット期間Ｔ２の時に走査線駆動回路にて選択される。
【００４３】
また、セット期間Ｔ１において、その選択された走査線上に接続した各画素回路にそれぞれデータ信号生成回路から階調に対応したデータ信号が供給される。さらに、リセット期間Ｔ２において、その選択された走査線上に接続した各画素回路にそれぞれリセット電圧生成回路からリセット電圧が印加される。従って、発光期間Ｔ３はセット期間Ｔ１の開始時からリセット期間Ｔ２の開始時までとなる。
【００４４】
図９が示すように、走査線駆動回路にて、走査線Ｙ１から走査線Ｙ６まで一つずつ順番に走査線を選択し、その選択期間（セット期間Ｔ１）中にその選択された走査線上の各画素回路に階調に対応したデータ信号を書き込む。このとき、階調に対応したデータ信号が書き込まれ画素回路の有機ＥＬ素子は発光する。そして、走査線Ｙ６までの階調に対応したデータ信号の書き込みが終了、即ち、１フレームの書き込みが終了すると、走査線駆動回路は、走査線Ｙ１から走査線Ｙ６まで一つずつ順番に走査線を選択し、その選択期間（リセット期間Ｔ２）中にその選択された走査線上の各画素回路にリセット電圧を書き込む。このとき、リセット電圧が書き込まれ画素回路の有機ＥＬ素子は消光する。そして、走査線Ｙ６までのリセット動作が終了すると、前記と同様な動作をして階調に対応したデータ信号を書き込み、そして、リセット電圧の書き込みを行う動作を繰返して画像を表示する。
【００４５】
ところで、図９から明らかなように、走査線Ｙ１〜Ｙ６が走査線Ｙ１から走査線Ｙ６まで一つずつ順番に選択されるため、各走査線Ｙ１〜Ｙ６のセット期間Ｔ１が短い期間Ｔｐに集中する。また、同様に、各走査線Ｙ１〜Ｙ６のリセット期間Ｔ２も短い期間Ｔｒに集中する。この短い期間Ｔｐ，Ｔｒにそれぞれ階調に対応したデータ信号の書き込みやリセット電圧の書き込みが集中すると、データ信号生成回路やリセット電圧生成回路の負荷が大きくなる。
【００４６】
そこで、本実施形態では、データ信号生成回路やリセット電圧生成回路の負荷を軽減し、延いては発光期間の短縮を図ることのできる有機ＥＬディスプレイ１０を説明する。
【００４７】
以下、本発明を具体化した第１実施形態を図１〜図４に従って説明する。
図１は、電子装置としての有機ＥＬディスプレイ１０の回路構成を示すブロック回路図を示す。図２は、表示パネル部とデータ線駆動回路の内部回路構成を示すブロック回路図を示す。図３は、画素回路の内部回路構成を示す回路図を示す。
【００４８】
図１において、有機ＥＬディスプレイ１０は、表示パネル部１１、データ線駆動回路１２、走査線駆動回路１３、メモリ回路１４、発振回路１５、電源回路１６及び制御回路１７を備えている。
【００４９】
有機ＥＬディスプレイ１０の表示パネル部１１及び各回路１２〜１７は、それぞれが独立した電子部品によって構成されていてもよい。例えば、各回路１２〜１７が１チップの半導体集積回路装置によって構成されていてもよい。また、表示パネル部１１及び各回路１２〜１７の全部若しくは一部が一体となった電子部品として構成されていてもよい。例えば、表示パネル部１１に、データ線駆動回路１２と走査線駆動回路１３とが一体的に形成されていてもよい。表示パネル部１１及び各回路１２〜１７の全部若しくは一部がプログラマブルなＩＣチップで構成され、その機能がＩＣチップに書き込まれたプログラムによりソフトウェア的に実現されてもよい。
【００５０】
表示パネル部１１は、図２に示すように、列方向に沿ってのびるデータ線Ｘ１〜Ｘｍ（ｍは自然数）と、行方向に沿ってのびる複数の走査線Ｙ１〜Ｙｎ（ｎは自然数）との交差部に対応する位置に配列された複数の単位回路としての画素回路２０を有している。つまり、各画素回路２０は、その列方向に沿ってのびる複数のデータ線Ｘ１〜Ｘｍと、行方向に沿ってのびる複数の走査線Ｙ１〜Ｙｎとの間にそれぞれ接続されることにより、各画素回路２０はマトリクス状に配列されている。各画素回路２０には電子素子または電流駆動素子としての有機ＥＬ素子２１を有している。有機ＥＬ素子２１は、駆動電流が供給されることによって発光する発光素子である。
【００５１】
本実施形態では、画素回路２０には、赤、緑及び青用画素回路２０Ｒ，２０Ｇ，２０Ｂの３種類の画素回路からなる。赤用画素回路２０Ｒには有機材料で構成された発光層から赤色の光を放射する有機ＥＬ素子２１を有している。緑用の画素回路２０Ｇには有機材料で構成された発光層から緑色の光を放射する有機ＥＬ素子２１を有している。青用画素回路２０Ｂには有機材料で構成された発光層から青色の光を放射する有機ＥＬ素子２１を有している。そして、赤、緑及び青用画素回路２０Ｒ，２０Ｇ，２０Ｂを一つの組としてその１組が１画素を構成している。
【００５２】
そして、図２に示すように、本実施形態では、１画素を構成する赤、緑及び青用画素回路２０Ｒ，２０Ｇ，２０Ｂは、各行においてそれぞれ赤用画素回路２０Ｒ、緑用画素回路２０Ｇ、青用画素回路２０Ｂの順番を列方向に繰り返しながら配置されている。そして、このように配置された赤、緑及び青用画素回路２０Ｒ，２０Ｇ，２０Ｂは、その列方向に沿って配置されるデータ線Ｘ１〜Ｘｍと、行方向に沿ってのびる複数の走査線Ｙ１〜Ｙｎとの間にそれぞれ接続される。従って、データ線Ｘ１，Ｘ４，Ｘ７，……は赤用画素回路２０Ｒが接続され、データ線Ｘ２，Ｘ５，Ｘ８，……は緑用画素回路２０Ｇが接続され、データ線Ｘ３，Ｘ６，Ｘ９，……は青用画素回路２０Ｂが接続される。又、赤、緑及び青用画素回路２０Ｒ，２０Ｇ，２０Ｂは、列方向に沿ってのびる電源線Ｌ１とそれぞれ接続されている。
【００５３】
データ線Ｘ１〜Ｘｍにおいて、赤用画素回路２０Ｒが接続される前記データ線には、多値のデータとしての赤用データ信号ＩＤＲとリセット信号としてのリセット電圧Ｖｒが供給される。又、データ線Ｘ１〜Ｘｍにおいて、緑用画素回路２０Ｇが接続される前記データ線には、多値のデータとしての緑用データ信号ＩＤＧとリセット電圧Ｖｒが供給される。さらに、データ線Ｘ１〜Ｘｍにおいて、青用画素回路２０Ｂが接続される前記データ線には、多値のデータとしての青用データ信号ＩＤＢとリセット電圧Ｖｒが供給される。尚、各画素回路２０Ｒ，２０Ｇ，２０Ｂ内に形成される後記するトランジスタは、通常は薄膜トランジスタ（ＴＦＴ）で構成している。
【００５４】
図３は、各画素回路２０Ｒ，２０Ｇ，２０Ｇの回路構成を示す。各画素回路２０Ｒ，２０Ｇ，２０Ｇは、第２のトランジスタとしての駆動トランジスタＱｄ、第１のトランジスタとしての第１及び第２スイッチングトランジスタＱｓｗ１、Ｑｓｗ２、開始トランジスタＱｓｔ、及び、容量素子としての保持キャパシタＣ１を有している。駆動トランジスタＱｄはＰチャネルＦＥＴより構成されている。第１及び第２スイッチングトランジスタＱｓｗ１、Ｑｓｗ２及び開始トランジスタＱｓｔはＮチャネルＦＥＴよりなる構成されている。
【００５５】
駆動トランジスタＱｄは、ドレインが開始トランジスタＱｓｔを介して前記有機ＥＬ素子２１の陽極に接続され、ソースが電源線Ｌ１に接続されている。電源線Ｌ１には、前記有機ＥＬ素子２１を駆動させるための駆動電圧Ｖｏｅｌが供給されている。前記駆動トランジスタＱｄのゲートと電源線Ｌ１との間には、保持キャパシタＣ１が接続されている。
【００５６】
また、駆動トランジスタＱｄのゲートは、前記第１スイッチングトランジスタＱｓｗ１のドレインに接続されている。第１スイッチングトランジスタＱｓｗ１のソースは、第２スイッチングトランジスタＱｓｗ２のドレインと接続されている。又、第２スイッチングトランジスタＱｓｗ２のドレインは前記駆動トランジスタＱｄのドレインと接続されている。さらに、第２スイッチングトランジスタＱｓｗ２のソースは、データ線Ｘｍに接続されている。
【００５７】
又、第１及び第２スイッチングトランジスタＱｓｗ１，Ｑｓｗ２のゲートには、走査線Ｙｎを構成する第１副走査線Ｙｎ１が接続されている。そして、第１副走査線Ｙｎ１から出力されてくるＨレベル（ハイレベル）の第１走査信号ＳＣｎ１によって第１及び第２スイッチングトランジスタＱｓｗ１，Ｑｓｗ２がオンされるようになっている。さらに、開始トランジスタＱｓｔのゲートには、走査線Ｙｎを構成する第２副走査線Ｙｎ２が接続されている。そして、第２副走査線Ｙｎ２から出力されてくるＨレベルの第２走査信号ＳＣｎ２によって開始トランジスタＱｓｔはオンされるようになっている。
【００５８】
今、第１及び第２スイッチングトランジスタＱｓｗ１，Ｑｓｗ２がオフ状態にある。また、開始トランジスタＱｓｔもオン状態にある。さらに、保持キャパシタＣ１はリセット電圧Ｖｒにリセットされリセット電荷量に保持されている。この状態では、駆動トランジスタＱｄは、そのゲートがソースより高電位になっているためオフ状態になっている。尚、リセット電圧Ｖｒは、前記駆動電圧Ｖｏｅｌより高い電圧値にしてもよいが、リセットするには、Ｖｏｅｌ−Ｖｔｈ（Ｖｔｈは駆動トランジスタＱｄの閾値電圧）以上のリセット電圧として用いればよい。この実施形態では、リセット電圧Ｖｒは前記駆動電圧Ｖｏｅｌと同電位にしているが、有機ＥＬ素子の場合、発光色によって用いられるＥＬ材料が異なるため、おのずと駆動電圧Ｖｏｅｌも異なるが、各色の駆動電圧Ｖｏｅｌに対応させてリセット電圧を設定している。
【００５９】
この状態から、Ｈレベルの第１走査信号ＳＣｎ１とＬレベルの第２走査信号ＳＣｎ２が出力される。第１及び第２スイッチングトランジスタＱｓｗ１，Ｑｓｗ２が第１走査信号ＳＣｎ１に応答してオンすると、データ線Ｘｍから赤、緑及び青用データ信号ＩＤＲ，ＩＤＧ，ＩＤＢが画素回路２０Ｒ，２０Ｇ及び２０Ｂに供給され、データ信号ＩＤＲ，ＩＤＧ，ＩＤＢに応じた電荷量が保持キャパシタＣ１に保持される。
【００６０】
その結果、駆動トランジスタＱｄのゲートに印加される電圧は、赤、緑及び青用データ信号ＩＤＲ，ＩＤＧ，ＩＤＢに基づいて設定した輝度階調に基づく電圧となる。
【００６１】
続いて、第１走査信号ＳＣｎ１がＨレベルからＬレベル（ローレベル）になるとともに、第２走査信号ＳＣｎ２がＬレベルからＨレベルになる。開始トランジスタＱｓｔがこの第２走査信号ＳＣｎ２に応答してオンすると、駆動トランジスタＱｄは設定されたゲート電圧に対応した導通状態となり、そのゲート導通状態に相対した駆動電流が有機ＥＬ素子２１に供給される。有機ＥＬ素子２１は、供給される駆動電流に基づいて設定した輝度階調で発光する。
【００６２】
Ｈレベルの第１走査信号ＳＣｎ１とＬレベルの第２走査信号ＳＣｎ２が出力される。これによって、第１及び第２スイッチングトランジスタＱｓｗ１，Ｑｓｗ２がオンし、開始トランジスタＱｓｔがオフする。第１及び第２スイッチングトランジスタＱｓｗ１，Ｑｓｗ２がオンすると、データ線Ｘｍから赤、緑及び青用データ信号ＩＤＲ，ＩＤＧ，ＩＤＢに代わってリセット電圧Ｖｒが保持キャパシタＣ１に供給される。保持キャパシタＣ１にリセット電圧Ｖｒが供給されると、保持キャパシタＣ１はリセット電荷量にリセットされる。これにより、駆動トランジスタＱｄは、そのゲートとソースとがほぼ同電位となりオフ状態となり、有機ＥＬ素子２１への電流の供給が遮断される。有機ＥＬ素子２１は、駆動電流が遮断されると発光を停止する。なお、この場合、開始トランジスタＱｓｔをオフさせたが、十分に有機ＥＬ素子２１を非発光の状態にするために、オンさせた状態で実施してもよい。
【００６３】
そして、第１走査信号ＳＣｎ１がＬレベルになるとともに、第２走査信号ＳＣｎ２がＨレベルになると、第１及び第２スイッチングトランジスタＱｓｗ１，Ｑｓｗ２がオフするとともに開始トランジスタＱｓｔがオン状態となる。これによって、保持キャパシタＣ１はリセット電荷量にリセットされた状態で次の発光期間の開始を待つ。なお、この場合、開始トランジスタＱｓｔをオンさせたが、十分に有機ＥＬ素子２１を非発光の状態にするために、オフさせて実施してもよい。
【００６４】
データ線駆動回路１２は、前記各データ線Ｘ１〜Ｘｍに対して単一ライン駆動回路３０を備えている。各単一ライン駆動回路３０は、各データ線Ｘ１〜Ｘｍを介してそれぞれ対応する赤、緑及び青用画素回路２０Ｒ，２０Ｇ，２０Ｂにそれぞれの前記赤、緑及び青用データ信号ＩＤＲ，ＩＤＧ，ＩＤＢを供給する。赤、緑及び青用画素回路２０Ｒ，２０Ｇ，２０Ｂは、このデータ信号ＩＤＲ，ＩＤＧ，ＩＤＢに応じて同画素回路２０Ｒ，２０Ｇ，２０Ｂの内部状態（保持キャパシタＣ１の電荷量）が設定されると、これに応じて有機ＥＬ素子２１に流れる電流値が制御される。
【００６５】
各単一ライン駆動回路３０は、図３に示すように、データ電流生成回路３０ａとリセット電圧生成回路３０ｂを備えている。データ電流生成回路３０ａは、第１スイッチＱ１１を介してそれぞれ対応する各データ線Ｘ１〜Ｘｍに接続された画素回路２０（２０Ｒ，２０Ｇ，２０Ｂ）にそれぞれの赤、緑及び青用データ信号ＩＤＲ，ＩＤＧ，ＩＤＢを供給する。尚、データ電流生成回路３０ａが生成する赤、緑及び青用データ信号ＩＤＲ，ＩＤＧ，ＩＤＢは多値であって、本実施形態では、６４通りの電流値が生成されるようになっている。
【００６６】
リセット電圧生成回路３０ｂは、第２スイッチＱ１２を介してそれぞれ対応する各データ線Ｘ１〜Ｘｍに接続された画素回路２０（２０Ｒ，２０Ｇ，２０Ｂ）にリセット信号としてのリセット電圧Ｖｒを供給する。リセット電圧Ｖｒは、前記駆動電圧Ｖｏｅｌと同電位であって、画素回路２０（２０Ｒ，２０Ｇ，２０Ｂ）の保持キャパシタＣ１の電荷量を所定の状態（リセット電荷量）に設定するための電圧である。
【００６７】
第１スイッチＱ１１は、ＮチャネルＦＥＴより構成され、選択信号を構成する第１のゲート信号Ｇ１によってオン・オフされる。第２スイッチＱ１２は、ＰチャネルＦＥＴより構成され、選択信号を構成する第２のゲート信号Ｇ２によってオン・オフされる。従って、第１及び第２スイッチＱ１１，Ｑ１２をそれぞれオン・オフ制御することによって、赤、緑及び青用データ信号ＩＤＲ，ＩＤＧ，ＩＤＢとリセット電圧Ｖｒのいずれかを各データ線Ｘ１〜Ｘｍに供給することができる。
【００６８】
そして、本実施形態では、各単一ライン駆動回路３０は、対応する赤、緑及び青用画素回路２０Ｒ，２０Ｇ，２０Ｂ毎に供給する信号（データ信号とリセット電圧）を相違させている。詳述すると、赤及び緑用画素回路２０Ｒ，２０Ｇの単一ライン駆動回路３０がそれぞれ赤及び緑用データ信号ＩＤＲ，ＩＤＧを出力するとき、青用画素回路２０Ｂの単一ライン駆動回路３０はリセット電圧Ｖｒを出力する。反対に、赤及び緑用画素回路２０Ｒ，２０Ｇの単一ライン駆動回路３０が共にリセット電圧Ｖｒを出力するとき、青用画素回路２０Ｂの単一ライン駆動回路３０は青用データ信号ＩＤＢを出力するようになっている。
【００６９】
つまり、１つの走査線が選択されたとき、その走査線上に接続された各赤及び緑用画素回路２０Ｒ，２０Ｇ（第１のグループの単位回路に相当）に赤及び緑用データ信号ＩＤＲ，ＩＤＧがそれぞれ供給されるとき、その走査線上に接続された各青用画素回路２０Ｂ（第２のグループの単位回路に相当）にはリセット電圧Ｖｒが供給される。そして、次に、該走査線が新たに選択されたとき、その走査線上に接続された各赤及び緑用画素回路２０Ｒ，２０Ｇにリセット電圧Ｖｒが供給され、その走査線上に接続された各青用画素回路２０Ｂには青用データ信号ＩＤＢが供給される。
【００７０】
さらに、各単一ライン駆動回路３０は、順番に走査線Ｙ１〜Ｙｎが選択される際、奇数番目の走査線の赤、緑及び青用画素回路２０Ｒ，２０Ｇ，２０Ｂと、偶数番目の走査線上に接続される赤、緑及び青用画素回路２０Ｒ，２０Ｇ，２０Ｂとで、供給する信号（データ信号とリセット電圧）を変更させている。詳述すると、一つ前に選択された走査線上の各赤及び緑用画素回路２０Ｒ，２０Ｇに赤及び緑用データ信号ＩＤＲ，ＩＤＧが供給された場合は、次に選択された走査線上の各赤及び緑用画素回路２０Ｒ，２０Ｇには、リセット電圧Ｖｒを供給するようになっている。反対に、一つ前に選択された走査線上の各赤及び緑用画素回路２０Ｒ，２０Ｇにリセット電圧Ｖｒが供給された場合は、次に選択された走査線上の各赤及び緑用画素回路２０Ｒ，２０Ｇには、赤及び緑用データ信号ＩＤＲ，ＩＤＧを供給するようになっている。
【００７１】
この場合、一つ前に選択された走査線上の各青用画素回路２０Ｂにリセット電圧Ｖｒが供給された場合は、次に選択される走査線上の青用画素回路２０Ｂには青用データ信号ＩＤＢが供給される。反対に、一つ前に選択された走査線上の各青用画素回路２０Ｂに青用データ信号ＩＤＢが供給された場合は、次に選択される走査線上の青用画素回路２０Ｂにはリセット電圧Ｖｒが供給される。
【００７２】
走査線駆動回路１３は、前記複数の走査線Ｙ１〜Ｙｎの中の１本を適宜選択して１行分（一連）の画素回路群を選択する。本実施形態では、走査線駆動回路１３による選択方法は、図２において、走査線Ｙ１→走査線Ｙ２→……→走査線Ｙｎの順番で選択する。走査線Ｙ１〜Ｙｎは、第１副走査線Ｙ１１〜Ｙｎ１と第２副走査線Ｙ１２〜Ｙｎ２から構成されている。第１副走査線Ｙ１１〜Ｙｎ１から第１走査信号ＳＣ１１〜ＳＣｎ１を、第２副走査線Ｙ１２〜Ｙｎ２から第２走査信号ＳＣ１２〜ＳＣｎ２を出力する。
【００７３】
そして、Ｈレベルの第１走査信号ＳＣｎ１によって選択された走査線Ｙｎ上の各画素回路２０Ｒ，２０Ｇ，２０Ｂの第１及び第２スイッチングトランジスタＱｓｗ１，Ｑｓｗ２をオンされる。すると、その時の第１，第２スイッチＱ１１，Ｑ１２の状態で各データ線Ｘ１〜Ｘｍを介してそれぞれ対応する赤、緑及び青用データ信号ＶＤＲ，ＶＤＧ，ＶＤＢ又はリセット電圧Ｖｒが画素回路に供給される。
【００７４】
Ｈレベルの第２走査信号ＳＣｎ２によって選択された走査線Ｙｎ上の各画素回路２０Ｒ，２０Ｇ，２０Ｂの開始トランジスタＱｓｔはオンされると、その画素回路２０Ｒ，２０Ｇ，２０Ｂの有機ＥＬ素子２１は発光する。
【００７５】
メモリ回路１４は、コンピュータ１８から供給される画像データを記憶する。発振回路１５は、基準動作信号を有機ＥＬディスプレイ１０の他の構成要素に供給する。電源回路１６は有機ＥＬディスプレイ１０の各構成要素の駆動電源を供給する。
【００７６】
制御回路１７は、前記表示パネル部１１及び各回路１２〜１６を統括制御する。制御回路１７は、表示パネル部１１の表示状態を表す前記メモリ回路１４に記憶した画像データを、各有機ＥＬ素子２１の発光の階調を表すマトリクスデータに変換する。マトリクスデータは、１行分の画素回路群を選択するために前記第１及び第２走査信号ＳＣ１１〜ＳＣｎ１，ＳＣ１２〜ＳＣｎ２を出力する走査線Ｙ１〜Ｙｎを指定するための走査線制御信号ＣＴＳを含む。又、マトリクスデータは、選択された画素回路群の有機ＥＬ素子２１の輝度を設定するための前記赤、緑及び青用データ信号ＩＤＲ，ＩＤＧ，ＩＤＢを決定するデータ線制御信号ＣＴＤを含む。そして、走査線制御信号ＣＴＳは、走査線駆動回路１３に供給する。また、データ線制御信号ＣＴＤは、データ線駆動回路１２に供給される。
【００７７】
そして、制御回路１７は、走査線Ｙ１〜Ｙｎの選択動作を２回選択することによって１フレームの画像が形成されるようにデータ線駆動回路１２及び走査線駆動回路１３を制御するようになっている。制御回路１７は、１フレームの画像を表示するための１回目の走査線Ｙ１〜Ｙｎの順番選択動作をする。このとき、奇数番目の走査線上の赤及び緑用画素回路２０Ｒ，２０Ｇに対してデータ信号ＩＤＲ，ＩＤＧを出力し、青用画素回路２０Ｂに対してリセット電圧Ｖｒを出力させる前記ゲート信号Ｇ１，Ｇ２を生成しデータ線駆動回路１２に出力する。一方、偶数番目の走査線上の赤及び緑用画素回路２０Ｒ，２０Ｇに対してリセット電圧Ｖｒを出力し、青用画素回路２０Ｂに対してデータ信号ＩＤＢを出力させる前記ゲート信号Ｇ１，Ｇ２を生成しデータ線駆動回路１２に出力する。
【００７８】
制御回路１７は、２回目の走査線Ｙ１〜Ｙｎの選択動作の際、奇数番目の走査線上の赤及び緑用画素回路２０Ｒ，２０Ｇに対してリセット電圧Ｖｒを出力し、青用画素回路２０Ｂに対してデータ信号ＩＤＢを出力させるための前記ゲート信号Ｇ１，Ｇ２を生成しデータ線駆動回路１２に出力する。一方、偶数番目の走査線上の赤及び緑用画素回路２０Ｒ，２０Ｇに対してデータ信号ＩＤＲ，ＩＤＧを出力し、青用画素回路２０Ｂに対してリセット電圧Ｖｒを出力させる前記ゲート信号Ｇ１，Ｇ２を生成しデータ線駆動回路１２に出力する。
【００７９】
次に、上記のように構成した有機ＥＬディスプレイ１０の作用を制御回路１７に基づく走査線駆動回路１３の走査線の選択動作に従って説明する。尚、説明を容易にするために、６本の走査線Ｙ１〜Ｙ６からなる有機ＥＬディスプレイ１０を例にして説明する。図４は、６本の走査線Ｙ１〜Ｙ６の第１及び第２副走査線Ｙ１１〜Ｙ６１，Ｙ１２〜Ｙ６２に出力される第１及び第２走査信号ＳＣ１１〜ＳＣ６１，ＳＣ１２〜ＳＣ６２のタイミングチャートを示す。
【００８０】
図４に示すように、走査線駆動回路１３は、Ｈレベルの第１走査信号ＳＣ１１〜ＳＣ６１（Ｌレベルの第２走査信号ＳＣ１２〜ＳＣ６２）を、予め定めた時間Ｔｓだけ順番に出力する。これによって、走査線Ｙ１〜Ｙ６は、走査線Ｙ１→走査線Ｙ２→走査線Ｙ３→走査線Ｙ４→走査線Ｙ５→走査線Ｙ６の順番で選択される。
【００８１】
この１回目の選択動作において、奇数番目に選択される走査線Ｙ１，Ｙ３，Ｙ５に対して、データ線駆動回路１２の各単一ライン駆動回路３０のうち、赤及び緑用画素回路２０Ｒ，２０Ｇとデータ線を介して接続された単一ライン駆動回路３０には制御回路１７からＨレベルのゲート信号Ｇ１，Ｇ２が出力される。又、青用画素回路２０Ｂとデータ線を介して接続された単一ライン駆動回路３０には制御回路１７からＬレベルのゲート信号Ｇ１，Ｇ２が出力される。従って、選択された走査線Ｙ１，Ｙ３，Ｙ５上の各赤及び緑用画素回路２０Ｒ，２０Ｇには、それぞれ赤及び緑用データ信号ＩＤＲ，ＩＤＧが供給される。又、選択された走査線Ｙ１，Ｙ３，Ｙ５上の各青用画素回路２０Ｂには、リセット電圧Ｖｒが供給される。
【００８２】
一方、偶数番目に選択される走査線Ｙ２，Ｙ４，Ｙ６に対して、データ線駆動回路１２の各単一ライン駆動回路３０のうち、赤及び緑用画素回路２０Ｒ，２０Ｇとデータ線を介して接続された単一ライン駆動回路３０には制御回路１７からＬレベルのゲート信号Ｇ１，Ｇ２が出力される。又、青用画素回路２０Ｂとデータ線を介して接続された単一ライン駆動回路３０には制御回路１７からＨレベルのゲート信号Ｇ１，Ｇ２が出力される。従って、選択された走査線Ｙ２，Ｙ４，Ｙ６上の各赤及び緑用画素回路２０Ｒ，２０Ｇには、それぞれリセット電圧Ｖｒが供給される。又、選択された走査線Ｙ２，Ｙ４，Ｙ６上の各青用画素回路２０Ｂには、青用データ信号ＩＤＢが供給される。
【００８３】
従って，それぞれ赤及び緑用データ信号ＩＤＲ，ＩＤＧが供給された赤及び緑用画素回路２０Ｒ，２０Ｇの有機ＥＬ素子２１は発光動作を行う。一方、リセット電圧Ｖｒが供給された青用画素回路２０Ｂの有機ＥＬ素子２１は発光動作を停止する。
【００８４】
１回目の選択動作が完了すると、直ちに、２回目の選択動作が行われる。走査線駆動回路１３は、１回目と同様に、Ｈレベルの第１走査信号ＳＣ１１〜ＳＣ６１（Ｌレベルの第２走査信号ＳＣ１２〜ＳＣ６２）を、予め定めた時間Ｔｓだけ順番に出力する。これによって、走査線Ｙ１〜Ｙ６は、１回目と同様に、走査線Ｙ１→走査線Ｙ２→走査線Ｙ３→走査線Ｙ４→走査線Ｙ５→走査線Ｙ６の順番で選択される。
【００８５】
この２回目の選択動作において、奇数番目に選択される走査線Ｙ１，Ｙ３，Ｙ５に対して、データ線駆動回路１２の各単一ライン駆動回路３０のうち、赤及び緑用画素回路２０Ｒ，２０Ｇとデータ線を介して接続された単一ライン駆動回路３０には制御回路１７からＬレベルのゲート信号Ｇ１，Ｇ２が出力される。又、青用画素回路２０Ｂとデータ線を介して接続された単一ライン駆動回路３０には制御回路１７からＨレベルのゲート信号Ｇ１，Ｇ２が出力される。従って、選択された走査線Ｙ１，Ｙ３，Ｙ５上の各赤及び緑用画素回路２０Ｒ，２０Ｇには、それぞれリセット電圧Ｖｒが供給される。又、選択された走査線Ｙ１，Ｙ３，Ｙ５上の各青用画素回路２０Ｂには、青用データ信号ＩＤＢが供給される。
【００８６】
一方、偶数番目に選択される走査線Ｙ２，Ｙ４，Ｙ６に対して、データ線駆動回路１２の各単一ライン駆動回路３０のうち、赤及び緑用画素回路２０Ｒ，２０Ｇとデータ線を介して接続された単一ライン駆動回路３０には制御回路１７からＨレベルのゲート信号Ｇ１，Ｇ２が出力される。又、青用画素回路２０Ｂとデータ線を介して接続された単一ライン駆動回路３０には制御回路１７からＬレベルのゲート信号Ｇ１，Ｇ２が出力される。従って、選択された走査線Ｙ２，Ｙ４，Ｙ６上の各赤及び緑用画素回路２０Ｒ，２０Ｇには、それぞれ赤及び緑用データ信号ＩＤＲ，ＩＤＧが供給される。又、選択された走査線Ｙ２，Ｙ４，Ｙ６上の各青用画素回路２０Ｂには、リセット電圧Ｖｒが供給される。
【００８７】
従って，それぞれ青用データ信号ＩＤＢが供給された各青用画素回路２０Ｂの有機ＥＬ素子２１は発光動作を行う。一方、リセット電圧Ｖｒが供給された各赤及び緑用画素回路２０Ｒ，２０Ｇの有機ＥＬ素子２１は発光動作を停止する。
【００８８】
２回目の選択動作が完了すると、１つの画像データに基づく表示動作が終了する。そして、次の画像データによる画像表示を前記と同様な動作を行う。
次に、上記のように構成した有機ＥＬディスプレイ１０の特徴を以下に記載する。
【００８９】
（１）本実施形態によれば、１回目の各走査線が順番に選択される時、奇数番目の走査線上の赤及び緑用画素回路２０Ｒ，２０Ｇに対してデータ信号ＩＤＲ，ＩＤＧをそれぞれ供給し、青用画素回路２０Ｂに対してリセット電圧Ｖｒを供給する。又、データ線駆動回路１２は、偶数番目の走査線上の赤及び緑用画素回路２０Ｒ，２０Ｇに対してリセット電圧Ｖｒを供給し、青用画素回路２０Ｂに対してデータ信号ＩＤＢを供給する。
【００９０】
続いて、２回目の各走査線が順番に選択される時、データ線駆動回路１２は、奇数番目の走査線上の赤及び緑用画素回路２０Ｒ，２０Ｇに対してリセット電圧Ｖｒを供給し、青用画素回路２０Ｂに対してデータ信号ＩＤＢを供給する。又、データ線駆動回路１２は、偶数番目の走査線上の赤及び緑用画素回路２０Ｒ，２０Ｇに対してデータ信号ＩＤＲ，ＩＤＧを供給し、青用画素回路２０Ｂに対してリセット電圧Ｖｒを供給する。
【００９１】
従って、１フレームの画像を表示するとき、リセット電圧Ｖｒの供給が集中したり、データ信号ＩＤＲ，ＩＤＧ，ＩＤＢの供給が集中したりすることがなく分散されるため、データ電流生成回路３０ａ及びリセット電圧生成回路３０ｂの負荷を軽減することができる。特に、本実施形態のように、データ信号が電流信号である場合には、データ伝送に時間がかかることがあるが、本実施形態では、一つのデータ線に注目してみれば、データ信号とリセット電圧とが交互に供給されるため、次のデータ信号の生成または準備期間を設けることができる。
【００９２】
（２）本実施形態では、データ電流生成回路３０ａの負荷を軽減させることができることから、負荷が軽減された分、大きめの電流値のデータ信号ＩＤＲ，ＩＤＧ，ＩＤＢを供給できる。その結果、データ線Ｘ１〜Ｘｍの配線容量による動作の遅延を低減することができ、時間Ｔｓを短くすることができる。
【００９３】
（３）本実施形態では、大きめのリセット電圧Ｖｒを供給できる。その結果、データ線Ｘ１〜Ｘｍの配線容量による動作の遅延を低減することができ、時間Ｔｓを短くすることができる。
【００９４】
（４）本実施形態では、保持キャパシタＣ１は高電位のリセット電圧Ｖｒによって事前にリセット電荷量に充電した状態にするようにしたので、少なくとも画素回路に対しては、一種のプリチャージとしての機能している。従って、データ線Ｘ１〜Ｘｍの配線容量の影響はおさえられ、保持キャパシタＣ１は、データ信号ＩＤＲ，ＩＤＧ，ＩＤＢを供給する時、短時間に所定の電荷量（データ値）に到達する。その結果、短時間に有機ＥＬ素子２１を設定した輝度階調で発光させるたり発光停止させたりすることができる。
【００９５】
（５）本実施形態は、１フレームの期間を、発光期間と使用（ホールド駆動）するより、パルス的に駆動させる。これによって、発光期間を短くすることができることから、動画特性が改善でき動画の表示品位を向上させることができる。
【００９６】
（６）本実施形態では、リセット電圧Ｖｒをデータ信号ＩＤＲ，ＩＤＧ，ＩＤＢを供給するデータ線を使って、それぞれ赤、緑、及び青用画素回路２０Ｒ，２０Ｇ，２０Ｂに供給するようにしたので、リセット電圧Ｖｒを供給するための専用の配線を設けなくて済みその分回路規模を小さくでき、開口率を上げることができる。
【００９７】
（第２実施形態）
次に、本発明の第２実施形態について、図５に従って説明する。本実施形態は、電子回路又は単位回路としての画素回路２０が第１実施形態と相違する。従って、その相違する部分について詳細に説明する。
【００９８】
図５は、赤、緑、及び青用画素回路２０Ｒ，２０Ｇ，２０Ｇの電気回路を示す。図５に示すように、各画素回路２０Ｒ，２０Ｇ，２０Ｂは、駆動トランジスタＱｄ、第１のトランジスタとしてのスイッチングトランジスタＱｓｗ１及び容量素子としての保持キャパシタＣ１を備えている。駆動トランジスタＱｄはＰチャネルＦＥＴにて構成されている。スイッチングトランジスタＱｓｗ１はＮチャネルＦＥＴにて構成されている。
【００９９】
駆動トランジスタＱｄは、ドレインが前記有機ＥＬ素子２１の陽極に接続され、ソースが駆動電圧Ｖｏｅｌが印加されている電源線Ｌ１に接続されている。駆動トランジスタＱｄのゲートには保持キャパシタＣ１が接続されている。その保持キャパシタＣ１の他端は前記電源線Ｌ１に接続されている。各画素回路２０Ｒ，２０Ｇ，２０ＢのスイッチングトランジスタＱｓｗ１のゲートは、対応する走査線Ｙ１〜Ｙｎにそれぞれ接続されている。又、スイッチングトランジスタＱｓｗ１は、ドレインがデータ線Ｘ１〜Ｘｍに接続され、ソースが前記駆動トランジスタＱｄのゲートとともに保持キャパシタＣ１に接続されている。
【０１００】
そして、データ線Ｘ１〜Ｘｍにおいて、赤用画素回路２０Ｒが接続される前記データ線には、多値のデータ信号としての赤用データ信号ＶＤＲが供給される。又、データ線Ｘ１〜Ｘｍにおいて、緑用画素回路２０Ｇが接続される前記データ線には、多値データとしての緑用データ信号ＶＤＧが供給される。さらに、データ線Ｘ１〜Ｘｍにおいて、青用画素回路２０Ｂが接続される前記データ線には、多値データとしての青用データ信号ＶＤＢが供給される。
【０１０１】
各データ線Ｘ１〜Ｘｍに接続されるデータ線駆動回路１２の単一ライン駆動回路３０は、データ電流生成回路３０ａに代えてデータ電圧生成回路４０ａが設けられている。データ電圧生成回路４０ａは、それぞれの各画素回路２０Ｒ，２０Ｇ，２０Ｇに対して多値データ信号としての赤、緑及び青用データ信号ＶＤＲ，ＶＤＧ，ＶＤＢを出力する。そして、データ線Ｘｍは、第１スイッチＱ１１を介してデータ電圧生成回路４０ａに接続されるとともに、第２スイッチＱ１２を介して前記リセット電圧生成回路３０ｂに接続される。
【０１０２】
そして、本実施形態では、前記実施形態と同様に、各単一ライン駆動回路３０は、順番に走査線Ｙ１〜Ｙｎが選択される際、奇数番目の走査線の赤、緑及び青用画素回路２０Ｒ，２０Ｇ，２０Ｂと、偶数番目の走査線上に接続される赤、緑及び青用画素回路２０Ｒ，２０Ｇ，２０Ｂとで、供給する信号（データ信号とリセット電圧）を変更させている。詳述すると、一つ前に選択された走査線上の各赤及び緑用画素回路２０Ｒ，２０Ｇに赤及び緑用データ信号ＶＤＲ，ＶＤＧが供給された場合は、次に選択された走査線上の各赤及び緑用画素回路２０Ｒ，２０Ｇには、リセット電圧Ｖｒを供給するようになっている。反対に、一つ前に選択された走査線上の各赤及び緑用画素回路２０Ｒ，２０Ｇにリセット電圧Ｖｒが供給された場合は、次に選択された走査線上の各赤及び緑用画素回路２０Ｒ，２０Ｇには、赤及び緑用データ信号ＶＤＲ，ＶＤＧを供給するようになっている。
【０１０３】
この場合、一つ前に選択された走査線上の各青用画素回路２０Ｂにリセット電圧Ｖｒが供給された場合は、次に選択される走査線上の青用画素回路２０Ｂには青用データ信号ＶＤＢが供給される。反対に、一つ前に選択された走査線上の各青用画素回路２０Ｂに青用データ信号ＶＤＢが供給された場合は、次に選択される走査線上の青用画素回路２０Ｂにはリセット電圧Ｖｒが供給される。
【０１０４】
走査線駆動回路１３は、前記複数の走査線Ｙ１〜Ｙｎの中の１本を適宜選択して１行分の画素回路群を選択する。そして、走査線駆動回路１３は、走査線Ｙ１→走査線Ｙ２→……→走査線Ｙｎの順番で選択する。走査線駆動回路１３は、走査線Ｙ１〜Ｙｎから走査信号ＳＣ１〜ＳＣｎを出力する。
【０１０５】
そして、Ｈレベルの走査信号ＳＣ１〜ＳＣｎによって選択された走査線Ｙ１〜Ｙｎ上の各画素回路２０Ｒ，２０Ｇ，２０ＢのスイッチングトランジスタＱｓｗ１がオンされると、その時の第１，第２スイッチＱ１１，Ｑ１２の状態で各データ線Ｘ１〜Ｘｍを介してそれぞれ対応する赤、緑及び青用データ信号ＶＤＲ，ＶＤＧ，ＶＤＢ又はリセット電圧Ｖｒが保持キャパシタＣ１に保持される。
【０１０６】
次に、上記のように構成した画素回路２０Ｒ，２０Ｇ，２０Ｂを有した有機ＥＬディスプレイ１０の作用を走査線駆動回路１３の走査線の選択動作に従って説明する。尚、説明を容易にするために、６本の走査線Ｙ１〜Ｙ６からなる有機ＥＬディスプレイ１０を例にして説明する。図６は、６本の走査線Ｙ１〜Ｙ６に出力される走査信号ＳＣ１〜ＳＣ６のタイミングチャートを示す。
【０１０７】
図６に示すように、走査線駆動回路１３は、Ｈレベルの走査信号ＳＣ１〜ＳＣ６を、予め定めた時間Ｔｓだけ順番に出力する。これによって、走査線Ｙ１〜Ｙ６は、走査線Ｙ１→走査線Ｙ２→走査線Ｙ３→走査線Ｙ４→走査線Ｙ５→走査線Ｙ６の順番で選択される。
【０１０８】
この１回目の選択動作において、奇数番目に選択される走査線Ｙ１，Ｙ３，Ｙ５に対して、データ線駆動回路１２の各単一ライン駆動回路３０のうち、赤及び緑用画素回路２０Ｒ，２０Ｇとデータ線を介して接続された単一ライン駆動回路３０には制御回路１７からＨレベルのゲート信号Ｇ１，Ｇ２が出力される。又、青用画素回路２０Ｂとデータ線を介して接続された単一ライン駆動回路３０には制御回路１７からＬレベルのゲート信号Ｇ１，Ｇ２が出力される。従って、選択された走査線Ｙ１，Ｙ３，Ｙ５上の各赤及び緑用画素回路２０Ｒ，２０Ｇには、それぞれ赤及び緑用データ信号ＶＤＲ，ＶＤＧが供給される。又、選択された走査線Ｙ１，Ｙ３，Ｙ５上の各青用画素回路２０Ｂには、リセット電圧Ｖｒが供給される。
【０１０９】
一方、偶数番目に選択される走査線Ｙ２，Ｙ４，Ｙ６に対して、データ線駆動回路１２の各単一ライン駆動回路３０のうち、赤及び緑用画素回路２０Ｒ，２０Ｇとデータ線を介して接続された単一ライン駆動回路３０には制御回路１７からＬレベルのゲート信号Ｇ１，Ｇ２が出力される。又、青用画素回路２０Ｂとデータ線を介して接続された単一ライン駆動回路３０には制御回路１７からＨレベルのゲート信号Ｇ１，Ｇ２が出力される。従って、選択された走査線Ｙ２，Ｙ４，Ｙ６上の各赤及び緑用画素回路２０Ｒ，２０Ｇには、それぞれリセット電圧Ｖｒが供給される。又、選択された走査線Ｙ２，Ｙ４，Ｙ６上の各青用画素回路２０Ｂには、青用データ信号ＶＤＢが供給される。
【０１１０】
従って，それぞれ赤及び緑用データ信号ＶＤＲ，ＶＤＧが供給された赤及び緑用画素回路２０Ｒ，２０Ｇの有機ＥＬ素子２１は発光動作を行う。一方、リセット電圧Ｖｒが供給された青用画素回路２０Ｂの有機ＥＬ素子２１は発光動作を停止する。
【０１１１】
１回目の選択動作が完了すると、直ちに、２回目の選択動作が行われる。走査線駆動回路１３は、１回目と同様に、Ｈレベルの走査信号ＳＣ１〜ＳＣ６を、予め定めた時間Ｔｓだけ順番に出力する。これによって、走査線Ｙ１〜Ｙ６は、１回目と同様に、走査線Ｙ１→走査線Ｙ２→走査線Ｙ３→走査線Ｙ４→走査線Ｙ５→走査線Ｙ６の順番で選択される。
【０１１２】
この２回目の選択動作において、奇数番目に選択される走査線Ｙ１，Ｙ３，Ｙ５に対して、データ線駆動回路１２の各単一ライン駆動回路３０のうち、赤及び緑用画素回路２０Ｒ，２０Ｇとデータ線を介して接続された単一ライン駆動回路３０には制御回路１７からＬレベルのゲート信号Ｇ１，Ｇ２が出力される。又、青用画素回路２０Ｂとデータ線を介して接続された単一ライン駆動回路３０には制御回路１７からＨレベルのゲート信号Ｇ１，Ｇ２が出力される。従って、選択された走査線Ｙ１，Ｙ３，Ｙ５上の各赤及び緑用画素回路２０Ｒ，２０Ｇには、それぞれリセット電圧Ｖｒが供給される。又、選択された走査線Ｙ１，Ｙ３，Ｙ５上の各青用画素回路２０Ｂには、青用データ信号ＶＤＢが供給される。
【０１１３】
一方、偶数番目に選択される走査線Ｙ２，Ｙ４，Ｙ６に対して、データ線駆動回路１２の各単一ライン駆動回路３０のうち、赤及び緑用画素回路２０Ｒ，２０Ｇとデータ線を介して接続された単一ライン駆動回路３０には制御回路１７からＨレベルのゲート信号Ｇ１，Ｇ２が出力される。又、青用画素回路２０Ｂとデータ線を介して接続された単一ライン駆動回路３０には制御回路１７からＬレベルのゲート信号Ｇ１，Ｇ２が出力される。従って、選択された走査線Ｙ２，Ｙ４，Ｙ６上の各赤及び緑用画素回路２０Ｒ，２０Ｇには、それぞれ赤及び緑用データ信号ＶＤＲ，ＶＤＧが供給される。又、選択された走査線Ｙ２，Ｙ４，Ｙ６上の各青用画素回路２０Ｂには、リセット電圧Ｖｒが供給される。
【０１１４】
従って，それぞれ青用データ信号ＶＤＢが供給された各青用画素回路２０Ｂの有機ＥＬ素子２１は発光動作を行う。一方、リセット電圧Ｖｒが供給された各赤及び緑用画素回路２０Ｒ，２０Ｇの有機ＥＬ素子２１は発光動作を停止する。
【０１１５】
２回目の選択動作が完了すると、１つの画像データに基づく表示動作が終了する。そして、次の画像データによる１フレームの画像表示を前記と同様な動作を行う。
【０１１６】
次に、上記のように構成した有機ＥＬディスプレイ１０の特徴を以下に記載する。
（１）本実施形態によれば、前記実施形態と同様に、１フレームの画像を表示するとき、リセット電圧Ｖｒの供給が集中したり、データ信号ＶＤＲ，ＶＤＧ，ＶＤＢの供給が集中したりすることがなく分散されるため、データ電圧生成回路４０ａ及びリセット電圧生成回路３０ｂの負荷を軽減することができる。
【０１１７】
（２）本実施形態では、データ電圧生成回路４０ａの負荷を軽減させることができることから、負荷が軽減された分、大きめの電圧値のデータ信号ＶＤＲ，ＶＤＧ，ＶＤＢを供給できる。その結果、データ線Ｘ１〜Ｘｍの配線容量による動作の遅延を低減することができ、時間Ｔｓを短くすることができる。
【０１１８】
（３）本実施形態では、大きめのリセット電圧Ｖｒを供給できる。その結果、データ線Ｘ１〜Ｘｍの配線容量による動作の遅延を低減することができ、時間Ｔｓを短くすることができる。
【０１１９】
（４）本実施形態では、保持キャパシタＣ１は高電位のリセット電圧Ｖｒによって事前にリセット電荷量に充電した状態にするようにしたので、少なくとも画素回路に対しては一種のプリチャージとして機能している。従って、データ線Ｘ１〜Ｘｍの配線容量の影響はおさえられ、保持キャパシタＣ１は、データ信号ＶＤＲ，ＶＤＧ，ＶＤＢを供給する時、短時間に所定の電荷量（データ値）に到達する。その結果、短時間に有機ＥＬ素子２１を設定した輝度階調で発光させるたり発光停止させたりすることができる。
【０１２０】
（５）本実施形態は、１フレームの期間を、発光期間と使用（ホールド駆動）するより、パルス的に駆動させる。これによって、発光期間が短くすることができることから、動画特性が改善でき動画の表示品位を向上させることができる。
【０１２１】
（６）本実施形態では、リセット電圧Ｖｒをデータ信号ＶＤＲ，ＶＤＧ，ＶＤＢを供給するデータ線を使って、それぞれ赤、緑、及び青用画素回路２０Ｒ，２０Ｇ，２０Ｂに供給するようにしたので、リセット電圧Ｖｒを供給するための専用の配線を設けなくて済みその分回路規模を小さくでき、開口率を上げることができる。
【０１２２】
（第３実施形態）
次に、第１実施形態で説明した電子装置としての有機ＥＬディスプレイ１０の電子機器の適用について図７に従って説明する。有機ＥＬディスプレイ１０は、モバイル型のパーソナルコンピュータ、携帯電話、デジタルカメラ等種々の電子機器に適用できる。
【０１２３】
図７は、モバイル型パーソナルコンピュータの構成を示す斜視図を示す。図７において、パーソナルコンピュータ６０は、キーボード６１を備え本体部６２と、前記有機ＥＬディスプレイ１０を用いた表示ユニット６３を備えている。この場合でも、有機ＥＬディスプレイ１０を用いた表示ユニット６３は前記実施形態と同様な効果を発揮する。その結果、パーソナルコンピュータ６０は、欠陥の少ない画像表示を実現することができる。
【０１２４】
尚、本発明の実施形態は、以下のように変更してもよい。
○前記第１及び第２実施形態では、走査線Ｙ１〜Ｙｎを順番に選択する際、データ線駆動回路１２は、奇数番目の各画素回路２０Ｒ，２０Ｇ，２０Ｂと、偶数番目の各画素回路２０Ｒ，２０Ｇ、２０Ｂとで、供給する信号（データ信号とリセット信号）を交互に変更した。これを、走査線Ｙ１〜Ｙｎを順番に選択する各回において、奇数番目及び偶数番目の走査線の各画素回路２０Ｒ，２０Ｇ、２０Ｂに対して信号（データ信号とリセット信号）を交互に変更しないで実施してもよい。
【０１２５】
○前記第１及び第２実施形態では、赤及び緑用画素回路２０Ｒ，２０Ｇと、青用画素回路２０Ｂとの間で供給する信号を変えていた。これを、緑及び青用画素回路２０Ｇ，２０Ｂと、赤用画素回路２０Ｒとの間で供給する信号を変えたり、赤及び青用画素回路２０Ｒ，２０Ｂと、緑用画素回路２０Ｇとの間で供給する信号を変えて実施してもよい。
【０１２６】
○前記第１及び第２実施形態では、走査線Ｙ１〜Ｙｎを２回選択することによって、１フレームの画像を表示するようにした。これを、走査線Ｙ１〜Ｙｎを３回以上選択するようにして、１フレームの画像を表示するようにしてもよい。そして、３回の選択で１フレームの画像を表示する場合、各回毎に選択される各走査線において、赤、緑、及び青用画素回路２０Ｒ，２０Ｇ、２０Ｂのうち、１つの画素回路についてのみが、データ信号が供給され、残る２つの画素回路にリセット信号が供給されるようにしてもよい。
【０１２７】
もちろん、最初に選択された走査線については、赤用画素回路２０Ｒに赤用データ信号が、次に選択された走査線については、緑用画素回路２０Ｒに緑用データ信号が、次に選択された走査線については、青用画素回路２０Ｂに緑用データ信号が供給されるように交互にデータ信号を変更するように実施してもよい。
【０１２８】
○前記第１実施形態では、走査線Ｙ１〜Ｙｎの選択は、順次走査（プログレッシブ走査）であった。これを、飛び越し走査またはインターレース走査で実施してもよい。図８は、飛び越し走査で、第１実施形態の表示パネル部１１に形成された各有機ＥＬ素子２１を制御する場合の第１及び第２走査信号ＳＣ１１〜ＳＣｎ１，ＳＣ１２〜ＳＣｎ２のタイミングチャートを示す。尚、説明の便宜上、走査線を６本とし、その６本の走査線Ｙ１〜Ｙ６の第１及び第２副走査線Ｙ１１〜Ｙ６１，Ｙ１２〜Ｙ６２に第１及び第２走査信号ＳＣ１１〜ＳＣ６１，ＳＣ１２〜ＳＣ６２が出力されるものとする。
【０１２９】
この場合、１フレームが２サブフレームから構成される。最初のサブフレームでは、走査線Ｙ１→走査線Ｙ３→Ｙ５→走査線Ｙ２→走査線Ｙ４→走査線Ｙ６の順番で走査線を選択する。次のサブフレームでは、走査線Ｙ２→走査線Ｙ４→走査線Ｙ６→走査線Ｙ１→走査線Ｙ３→走査線Ｙ５の順番で選択される。
【０１３０】
そして、各サブフレームのなかにおいて、奇数番目に選択される走査線の赤、緑及び青用画素回路２０Ｒ，２０Ｇ，２０Ｂと、偶数番目に選択される走査線上に接続される赤、緑及び青用画素回路２０Ｒ，２０Ｇ，２０Ｂとで、供給する信号（データ信号とリセット電圧）を変更させるようにする。
【０１３１】
このように実施することによって、前記第１実施形態と同様な効果を奏する。同様に、第２実施形態の画素回路２０からなる有機ＥＬディスプレイ１０も、上記した飛び越し走査やインターレース走査で実施してもよい。
【０１３２】
○前記第１及び第２実施形態では、単位回路として画素回路２０に具体化して好適な効果を得たが、有機ＥＬ素子２１以外の例えばＬＥＤやＦＥＤ、電子放出素子、プラズマ素子等の発光素子、液晶素子のような電気光学素子（電子素子）を駆動する単位回路に具体化してもよい。ＲＡＭ等の記憶装置に具体化してもよい。
【０１３３】
○前記第１及び第２実施形態では、画素回路２０Ｒ，２０Ｇ，２０Ｂの電流駆動素子として有機ＥＬ素子２１について具体化したが、無機ＥＬ素子に具体化してもよい。つまり、無機ＥＬ素子からなる無機ＥＬディスプレイに応用しても良い。
【０１３４】
○前記第１及び第２実施形態では画素回路２０Ｒ，２０Ｇ，２０Ｂには、多値のデータ信号を供給したが、これに代えて時分割、面積階調等のデジタル駆動させる駆動方法に応用してもよい。
【０１３５】
○前記第２実施形態では、データ電圧生成回路４０ａとリセット電圧生成回路３０ｂをそれぞれ別々に設けたが、データ信号ＶＤＲ，ＶＤＧ，ＶＤＢとリセット電圧Ｖｒを１つの回路で生成することができる電圧生成回路で実施してもよい。この場合、電圧生成回路を共用するので、その分だけ回路規模を小さくすることができる。
【０１３６】
○前記実施形態では、３色の有機ＥＬ素子２１に対して各色用の画素回路２０Ｒ，２０Ｇ，２０Ｂを設けた有機ＥＬディスプレイであったが、１色からなるＥＬ素子の画素回路からなるＥＬディスプレイに応用しても良い。
【０１３７】
○前記各実施形態では、一方の赤及び緑用画素回路２０Ｒ，２０Ｇ（第１のグループの単位回路）にデータ信号を供給している間、他方の青用画素回路２０Ｂ（第２のグループの単位回路）をリセットさせるようにした。これを、第１のグループの単位回路がデータ信号を供給している間、第２のグループの単位回路をリセットさせないで実施してもよい。この場合、データ線駆動回路の負荷を軽減することができる。
【０１３８】
○前記各実施形態では、データ線駆動回路１２に設けた単一ライン駆動回路３０のリセット電圧生成回路３０ｂで生成したリセット電圧Ｖｒ（リセット信号）をデータ線を介して画素回路２０（単位回路）に供給し、同画素回路２０（単位回路）をリセットさせたが、データ線を介さないで、専用の配線を介してリセット電圧Ｖｒ（リセット信号）を供給し画素回路２０（単位回路）をリセットさせるようにしてもよい。
【図面の簡単な説明】
【図１】第１実施形態を説明するための有機ＥＬディスプレイの回路構成を示すブロック回路図。
【図２】同じく表示パネル部の内部回路構成を説明するための回路図。
【図３】同じく画素回路とデータ線駆動回路の内部回路構成を説明するための回路図。
【図４】同じく走査線の選択を説明するためのタイミングチャート。
【図５】第２実施形態を説明するための画素回路とデータ線駆動回路の内部回路構成を示す回路図。
【図６】同じく走査線の選択を説明するためのタイミングチャート。
【図７】第３実施形態を説明するためのモバイル型パーソナルコンピュータの構成を示す斜視図。
【図８】本発明の別例における走査線の選択を説明するためのタイミングチャート。
【図９】走査線の選択を説明するためのタイミングチャート。
【符号の説明】
１０  電子装置としての有機ＥＬディスプレイ
１１  表示パネル部
１２  データ線駆動回路
１３  走査線駆動回路
１４  メモリ回路
１７  制御回路
２０  画素回路
２０Ｒ  単位回路としての赤用画素回路
２０Ｇ  単位回路としての緑用画素回路
２０Ｂ  単位回路としての青用画素回路
２１  有機ＥＬ素子
３０  単一ライン駆動回路
３０ａ  電流生成回路
３０ｂ  リセット電圧生成回路
６０  電子機器としてのパーソナルコンピュータ
Ｙ１〜Ｙｎ  走査線
Ｘ１〜Ｘｍ  データ線
ＣＴＤ  データ線制御信号
ＣＴＳ  走査線制御信号
ＳＣ１〜ＳＣｎ  走査信号
Ｑｄ  第２のトランジスタとしての駆動トランジスタ
Ｑｓｗ１  第１のトランジスタとしての第１スイッチングトランジスタ
Ｑｓｗ２  第１のトランジスタとしての第２スイッチングトランジスタ
Ｔｓ  時間
Ｇ１  選択信号としての第１のゲート信号
Ｇ２  選択信号としての第２のゲート信号
Ｖｒ  リセット信号としてのリセット電圧
ＶＤＲ，ＩＤＲ  多値のデータ信号としての赤用データ信号
ＶＤＧ，ＩＤＧ  多値のデータ信号としての緑用データ信号
ＶＤＢ，ＩＤＢ  多値のデータ信号としての青用データ信号
【図１】
2004151558.tif 000003
【図２】
2004151558.tif 000004
【図３】
2004151558.tif 000005
【図４】
2004151558.tif 000006
【図５】
2004151558.tif 000007
【図６】
2004151558.tif 000008
【図７】
2004151558.tif 000009
【図８】
2004151558.tif 000010
【図９】
2004151558.tif 000011